(57)【要約】      （修正有）【課題】パチンコ台の設置床面に対する傾斜を検知し、プレーヤー周囲の人間に警告を促すことで転倒事故を未然に防止できる傾斜検知機能付きパチンコ台収納ラックを提供する。【解決手段】本傾斜検知機能付きパチンコ台収納ラック２は、パチンコ台を収容するパチンコ台収納部３と転倒防止用のウエイトを収納するウエイト収納部４とを備えた傾斜検知機能付きパチンコ台収納ラックであって、該パチンコ台収納ラックの側面または上面に着接され、かつ前記傾斜検知機能付きパチンコ台収納ラックの設置床面に対する傾斜角度θが、５°≦θの範囲で導通する振り子スイッチ６と、前記傾斜検知機能付きパチンコ台収納ラック表面に着接され、かつ前記振り子スイッチの導通により点灯する警告灯５と、前記振り子スイッチと前記警告灯とを直列的に接続する配線７とを備えたことを特徴とする。【選択図】図１
0003159208.tif 000002
【実用新案登録請求の範囲】
【請求項１】
パチンコ台を収容するパチンコ台収納部と転倒防止用のウエイトを収納するウエイト収納部とを備えた傾斜検知機能付きパチンコ台収納ラックであって、
前記パチンコ台収納ラックの側面または上面に着接され、かつ前記傾斜検知機能付きパチンコ台収納ラックの設置床面に対する傾斜角度θが、５°≦θの範囲で導通する振り子スイッチと、
前記傾斜検知機能付きパチンコ台収納ラック外面に着接され、かつ前記振り子スイッチの導通により点灯する警告灯と、
前記振り子スイッチと前記警告灯とを直列的に接続する配線と
を備えた傾斜検知機能付きパチンコ台収納ラック。
【考案の詳細な説明】
【技術分野】
【０００１】
本考案は、傾斜を検知し未然に転倒事故を防止できる傾斜検知機能付きパチンコ台収納ラックに関する。
【背景技術】
【０００２】
図９に示すように、家庭等でパチンコを楽しむためにパチンコ台を固定して使用するパチンコ台支持テーブル１０６が知られている。
【０００３】
パチンコ台支持テーブル１０６は、玉収容床１０１、パチンコ台支持部１０２、ガイド部１０３、誘導開口部１０４、玉上げ機１０８、樋１０９及び玉供給用ホッパ１１０を備える。
【０００４】
パチンコ台支持テーブル１０６の底面の台には、台の上部が後方に低く傾斜した玉収容床１０１が設けられている。玉収容床１０１の両側には、上方へ起立したパチンコ台支持部１０２が設けられている。パチンコ台支持部１０２は、パチンコ台１０７とねじ１０５でねじ止めされている。また、パチンコ台支持部１０２には、パチンコ台支持テーブル１０６の後方へ行くほど間隔が狭くなるガイド部１０３が設けられている。両側のガイド部１０３の後端部において、玉を玉上げ機１０８へ誘導する誘導開口部１０４が形成されている。誘導開口部１０４に誘導された玉は、玉上げ機１０８の動作によって、樋１０９を通って玉供給用ホッパ１１０に供給される。
【先行技術文献】
【特許文献】
【０００５】
【特許文献１】実公平７−２４１５６号
【考案の概要】
【考案が解決しようとする課題】
【０００６】
従来のパチンコ台支持テーブル１０６は、パチンコ店で楽しむのと同様に家庭でパチンコを楽しむためのものであるが、プレーヤーがゲームに熱中するあまりパチンコ台１０７に振動を加えてしまい、パチンコ台１０７が傾斜し転倒してしまう虞がある。
【０００７】
特に、高齢者施設等でパチンコ台１０７を使用する場合には、パチンコ台１０７の転倒を未然に防止することがより一層要求される。
【０００８】
本考案は、上記従来の問題を解決するために、パチンコ台の設置床面に対する傾斜を検知し、プレーヤー周囲の人間に警告を促すことで転倒事故を未然に防止できる傾斜検知機能付きパチンコ台収納ラックを提供することを目的とする。
【課題を解決するための手段】
【０００９】
上記目的を達成するために本考案の傾斜検知機能付きパチンコ台収納ラックは、パチンコ台を収容するパチンコ台収納部と転倒防止用のウエイトを収納するウエイト収納部とを備えた傾斜検知機能付きパチンコ台収納ラックであって、前記パチンコ台収納ラックの側面または上面に着接され、かつ前記傾斜検知機能付きパチンコ台収納ラックの設置床面に対する傾斜角度θが、５°≦θの範囲で導通する振り子スイッチと、前記傾斜検知機能付きパチンコ台収納ラック表面に着接され、かつ前記振り子スイッチの導通により点灯する警告灯と、前記振り子スイッチと前記警告灯とを直列的に接続する配線とを備えたことを特徴とする。
【考案の効果】
【００１０】
本考案によれば、傾斜検知機能付きパチンコ台収納ラックの設置床面に対する傾斜を検知して、転倒する前にプレーヤー周囲の人間に警告を促すことができる。つまり、プレーヤーの周囲の人間が傾斜検知機能付きパチンコ台収納ラックの転倒事故の虞のある状況に対応可能となり、転倒事故を未然に防止することができる。
【００１１】
また、簡易な構成で実現できるので、部品点数の増加等によるコストをかけないで傾斜検知機能付きパチンコ台収納ラックを提供することができる。
【図面の簡単な説明】
【００１２】
【図１】本考案の傾斜検知機能付きパチンコ台収納ラックの内部の概略図である。
【図２】同傾斜検知機能付きパチンコ台収納ラックの正面図である。
【図３】同傾斜検知機能付きパチンコ台収納ラックの側面図である。
【図４】同傾斜検知機能付きパチンコ台収納ラックに使用される振り子スイッチの概略図である。
【図５】設置床面に対して傾斜検知機能付きパチンコ台収納ラックが角度θだけ傾斜したときの振り子スイッチの概略図である。
【図６】設置床面に対して傾斜検知機能付きパチンコ台収納ラックが角度θだけ傾斜したときの傾斜検知機能付きパチンコ台収納ラックの概略図である。
【図７】同傾斜検知機能付きパチンコ台収納ラックの配線の概略図である。
【図８】他の実施形態における傾斜検知機能付きパチンコ台収納ラックの配線の概略図である。
【図９】従来のパチンコ台支持テーブルの斜視図である。
【考案を実施するための形態】
【００１３】
図１〜３を参照して、傾斜検知機能付きパチンコ台収納ラック２を説明する。
【００１４】
図１は、傾斜検知機能付きパチンコ台収納ラック２の内部の概略図である。
【００１５】
傾斜検知機能付きパチンコ台収納ラック２は、パチンコ台収納部３、ウエイト収納部４、警告灯５、振り子スイッチ６、配線７、及び電源１５を備える。
【００１６】
警告灯５は、傾斜検知機能付きパチンコ台収納ラック２の外側に設置され、プレーヤー周囲の人間が視認できるようになっている。振り子スイッチ６は、パチンコ台収納部３の内部の側面または上面に設置される。電源１５は、傾斜検知機能付きパチンコ台収納ラック２内部の配置しやすい位置に配置すればよく、位置は特段問わない。警告灯５、振り子スイッチ６、及び電源１５は、傾斜検知機能付きパチンコ台収納ラック２内部に設置された配線７を介して直列的に接続されている。
【００１７】
傾斜検知機能付きパチンコ台収納ラック２を安定して設置するために、ウエイト収納部４には転倒防止用のウエイトが設置される。転倒防止用のウエイトには、例えばコンクリート製のブロックやポリエチレン製のタンクに水を充填した物を用いることができる。
【００１８】
電源１５は、警告灯５に電力を供給するための専用電源を設けてもよいし、傾斜検知機能付きパチンコ台収納ラック２に収納されるパチンコ台１の動作用電源と共用にしてもよい。
【００１９】
図２は、傾斜検知機能付きパチンコ台収納ラック２の正面図である。図３は、傾斜検知機能付きパチンコ台収納ラック２の側面図である。
【００２０】
上述したように、警告灯５、振り子スイッチ６、及び電源１５は、配線７を介して直列的に接続され傾斜検知機能付きパチンコ台収納ラック２内部に設置される。その後、図２及び図３に示すように、パチンコ台１はパチンコ台収納部３に収納される。パチンコ台収納部３にパチンコ台１を収納した傾斜検知機能付きパチンコ台収納ラック２は、所用の場所に設置される。
【００２１】
図４、図５を参照して、本考案の傾斜検知機能付きパチンコ台収納ラック２に使用される振り子スイッチ６を説明する。
【００２２】
図４に示されたのは、傾斜検知機能付きパチンコ台収納ラック２が、設置床面に対して傾斜していない場合の振り子スイッチ６である。
【００２３】
図５に示されたのは、傾斜検知機能付きパチンコ台収納ラック２が、設置床面に対して傾斜した場合の振り子スイッチ６である。
【００２４】
振り子スイッチ６は、振り子スイッチケース８、錘９、回転部材１０、支持部材１１、導体部品１２及びアーム１３を備える。回転部材１０、支持部材１１、導体部品１２及びアーム１３は、導電性の材料で構成される。
【００２５】
振り子スイッチケース８は、図４おける上面に支持部材１１を、側面に導体部品１２を備える。支持部材１１には、球状の回転部材１０が自由に回転できるように設置される。アーム１３は回転部材１０に接合され、振り子スイッチケース８の内面に鉛直方向向きに配置される。アーム１３の回転部材１０が接合された他端側には、錘９が接合される。振り子スイッチ６に振動が加わると、アーム１３は回転部材１０を中心に自在に揺動するように構成されている。
【００２６】
支持部材１１及び導体部材１２には、配線７が接続される。そして、上述したように、振り子スイッチ６は、配線７を介して警告灯５および電源１５と直列的に接続される。
【００２７】
振り子スイッチ６は、傾斜検知機能付きパチンコ台収納ラック２内部の側面または上面に着接される。傾斜検知機能付きパチンコ台収納ラック２の側面は、設置床面に対して垂直に構成される。
【００２８】
傾斜検知機能付きパチンコ台収納ラック２が傾斜していない状態（図１）では、図４に示すように、導電部材１２とアーム１３とは平行な位置関係にあり接触していない。つまり、導電部材１２とアーム１３とは導通しておらず、振り子スイッチ６は入っていない状態である。
【００２９】
傾斜検知機能付きパチンコ台収納ラック２が設置床面に対して角度θだけ傾いた状態（図６）では、図５に示すように、振り子スイッチ６は鉛直方向に対して角度θだけ傾く。つまり、設置床面に対する傾斜検知機能付きパチンコ台収納ラック２の傾きθ（以下、傾斜角度θと呼ぶ）が、振り子スイッチ６の鉛直方向に対する傾きθとして検知される。傾斜検知機能付きパチンコ台収納ラック２が設置床面に対して、所定の傾斜角度θ以上傾くと、導電性の材料で構成された導体部品１２とアーム１３とが導通し、振り子スイッチ６が入った状態になる。
【００３０】
小さい傾斜角度θで、導通するように設定された振り子スイッチ６を使用すると、傾斜検知機能付きパチンコ台収納ラック２が、設置床面に対し転倒しない程度の軽度の傾斜があった場合でも、振り子スイッチ６は導通し警告灯５が点灯する。つまり、傾斜検知機能付きパチンコ台収納ラック２が転倒する虞がない場合にも、プレーヤーの周囲の人間に警告を促してしまい、余計な負担を与えてしまう。
【００３１】
一方、大きい傾斜角度θで、導通するように設定された振り子スイッチ６を使用すると、傾斜検知機能付きパチンコ台収納ラック２が、設置床面に対し転倒する程度の大きな傾斜があるにもかかわらず、振り子スイッチ６は導通しておらず警告灯５が点灯しない。つまり、傾斜検知機能付きパチンコ台収納ラック２が転倒する虞があるにも関わらず、警告灯５が点灯しないので、プレーヤーの周囲の人間に警告を促すことができず、転倒事故を未然に防止することができない。
【００３２】
上述の観点から、傾斜検知機能付きパチンコ台収納ラック２の設置床面に対する傾斜角度θ、つまり振り子スイッチ６の鉛直方向に対する傾きθが、５°≦θの範囲にあるときに、導電部材１２とアーム１３とが接触しスイッチが入った状態になる振り子スイッチ６
が、好適である。また、１０°≦θの範囲にあるときに、導電部材１２とアーム１３とが接触しスイッチが入った状態になる振り子スイッチ６が、最適である。
【００３３】
また、傾斜検知機能付きパチンコ台収納ラック２の設置床面に対する傾斜角度θが所定角度以上になり、導電部材１２とアーム１３とが接触し振り子スイッチ６が入った後、更に該収納ラック２が傾斜しても、導電部材１２とアーム１３との接触状態は維持されるので、振り子スイッチ６が入った状態は維持される。
【００３４】
また、本考案に使用する振り子スイッチ６は、上述した機能と同様の機能を有するものであれば特に限定されない。
【００３５】
図７を参照して、本考案の傾斜検知機能付きパチンコ台収納ラックの配線を説明する。警告灯５、振り子スイッチ６、及び電源１５は、配線７を介して直列的に接続されている。上述したように、傾斜検知機能付きパチンコ台収納ラック２の傾斜角度θが５°以上になると、導体部材１２とアーム１３とが導通し、振り子スイッチ６が入った状態になる。つまり、パチンコ台に振動が加わり、傾斜検知機能付きパチンコ台収納ラック２が設置床面に対して５°以上傾斜すると、警告灯５が点灯する。
【００３６】
警告灯５は、電力により発光するものであればよく、例えば、発光ダイオード（ＬＥＤ：Ｌｉｇｈｔ  Ｅｍｉｔｔｉｎｇ  Ｄｉｏｄｅ）や蛍光灯等を使用することができる。
【００３７】
また、図８に示すように、図７に示した直列回路に、ブザー１４を直列的に組み込むこともできる。これにより、警告灯５による視覚的な効果に加え、ブザー１４の聴覚的な効果によって、プレーヤーの周囲の人間に警告を促すことができ、より確実に転倒事故を未然に防止することができる。
【００３８】
なお、本実施形態においてパチンコ台１を収納した傾斜検知機能付きパチンコ台収納ラック２について説明したが、パチンコ台１に代えて他の遊技機（例えばスロット台）を傾斜検知機能付きパチンコ台収納ラック２に収納することもできる。
【産業上の利用可能性】
【００３９】
本考案によれば、パチンコ台の設置床面に対する傾斜を検知し、プレーヤー周囲の人間に警告を促すことで転倒事故を未然に防止できる傾斜検知機能付きパチンコ台収納ラックを提供することができる。
【符号の説明】
【００４０】
１      パチンコ台
２      傾斜検知機能付きパチンコ台収納ラック
３      パチンコ台収納部
４      ウエイト収納部
５      警告灯
６      振り子スイッチ
７      配線
８      振り子スイッチケース
９      錘
１０    回転部材
１１    支持部材
１２    導体部品
１３    アーム
１４    ブザー
１５    電源
１０１  玉収容床
１０２  パチンコ台支持部
１０３  ガイド部
１０４  誘導開口部
１０５  ねじ
１０６  パチンコ台支持テーブル
１０７  パチンコ台
１０８  玉上げ機
１０９  樋
１１０  玉供給用ホッパ
【図１】
0003159208.tif 000003
【図２】
0003159208.tif 000004
【図３】
0003159208.tif 000005
【図４】
0003159208.tif 000006
【図５】
0003159208.tif 000007
【図６】
0003159208.tif 000008
【図７】
0003159208.tif 000009
【図８】
0003159208.tif 000010
【図９】
0003159208.tif 000011